(57)【要約】【課題】  ベル音を使用者の行動や装着状況に係わらず確実かつ必要十分な間隔で発音させるとともに，発音が不要な状況では簡単に発音を停止することが可能で，さらに携帯ライトの機能も備えた熊よけベルを得る。【解決手段】    デジタルサンプリング録音された実際のベル音を音色データとして半導体メモリに記憶し，それをＤ／Ａ変換してスピーカーを鳴らすことにより電気的にベル音を発生させる回路を備え，スイッチ操作により発音を入り切り可能とするとともに，タイマーにより任意の間隔でベル音を発生させる。また，動作モード表示灯と兼用で，スイッチ操作により常時点灯可能な光源を備え，携帯ライトとしても使用可能にする。【選択図】  図１
2005292751.tif 000002
【特許請求の範囲】
【請求項１】
衣服または装備に装着し，歩行時に発生するベル音によって熊等の動物に人間の所在を知らせ，偶発的遭遇を避ける熊よけベルにおいて，前記ベル音を電気的に発生させる手段を備え，スイッチ操作により前記ベル音を入り切り可能とするとともに内蔵のタイマーにより任意の間隔で前記べル音を繰り返し発生可能としたことを特徴とする熊よけベル。
【請求項２】
前記ベル音をデジタルサンプリング録音された少なくとも１つ以上の音色データとして半導体メモリに記憶し，それをＤ／Ａ変換してスピーカーを鳴らすことにより，従来のベルに近い音色を得るようにしたことを特徴とする請求項１記載の熊よけベル。
【請求項３】
スイッチ操作でＯＮ／ＯＦＦ可能な光源を備え，携帯ライトとしても使用可能なことを特徴とする請求項１記載の熊よけベル。
【請求項４】
前記光源をベル音発生間隔のモード表示灯として共用したことを特徴とする請求項３記載の熊よけベル。
【発明の詳細な説明】
【発明の詳細な説明】
【技術分野】
【０００１】  本発明は登山や山菜取りなどにおいて熊との偶発的遭遇を避けるための熊よけベルに関する。
【背景技術】
【０００２】  登山，釣り，山菜取り，山仕事等のため熊が生息する山林に入り，熊と遭遇して襲われる事故がよく報告されている。一般的に熊は人間の存在を知ればその方向には近づかないものであるが，藪なとで偶発的に人間と遭遇すると，防衛本能で人間を攻撃してしまうと言われている。【０００３】  このため従来より機械的な鈴やベルを身に付け，歩行時の振動により発音させることにより熊に人間の存在を知らせ，偶発的遭遇を避けるのが一般的である。【０００４】  図２は例えば実用新案登録第３０５５７５６号公報に示された従来の熊よけベルを示す斜視図である。図２において靴１０の上部に鈴１１が取り付けられており，歩行時の震動により鈴１１が発音し熊に対して人間の存在を知らせるように構成されている。
【発明が解決しようとする課題】
【０００５】  上記従来の熊よけベルにおいては発音手段が鈴であるため，発音させるためには歩行などによる物理的震動を与える必要があり，座って休憩している時や釣りなどで同じ場所に立ち止まっている場合音が発生しない。また，鈴が何かに接触するなど装着の仕方が適切でない場合もうまく発音しないという問題点があった。また，逆に自宅から山への移動時など発音の必要がない状況においても歩くたびに発音してしまうため，人混みや公共の乗りものの中では他人への迷惑になるとともに，発音が必要な状況においても歩行により連続的に発音するため耳障りであるという問題点があった。さらに，従来の熊よけベルはベルとしての機能しかないため，例えば夜間の山歩きにおいては熊よけベルと携帯ライト二つを持ち歩かなければならず煩わしさがあった。
【０００６】  この発明は上記問題点を解消するためになされたもので，ベル音を使用者の行動や装着状況に係わらず確実かつ必要十分な間隔で発音させるとともに，発音が不要な状況では簡単に発音を停止することが可能で，さらに携帯ライトの機能も備えた熊よけベルを提供するものである。
【課題を解決するための手段】
【０００７】  本発明の熊よけベルは上記課題を解決するために，電気的なベル音発生手段を備え，スイッチ操作により発音を入り切り可能とするとともにタイマーにより任意の間隔で前記ベル音を発生可能としたものである。
【０００８】  また，前記ベル音はデジタルサンプリング録音された音色データとして半導体メモリに記憶し，それをＤ／Ａ変換してスピーカーを鳴らすことにより，従来のベルに近い音色を得たものである。
【０００９】  また，スイッチ操作でＯＮ／ＯＦＦ可能な光源を備え，携帯ライトとしても使用可能にしたものである。
【００１０】  また，前記光源をベル音発生間隔のモード表示灯として共用したものである。
【発明を実施するための最良の形態】
【００１１】      実施の形態１．
図１は，本発明による熊よけベルの構成を示すブロック図である。図１において１はモード切替スイッチ，２は動作切替スイッチ，３はワンチップマイコン，４はベル音データを格納したメモリ，５は音色データをアナログ信号に変換するＡ／Ｄコンバータ，６は高周波ノイズを低減するためのローパスフィルタ，７は音信号をスピーカが駆動できるレベルまで増幅するための増幅器，８はスピーカ，９は携帯ライトとしての光源用兼動作状態表示用高輝度ＬＥＤである【００１２】  次に上記実施の形態１の動作を図１を用いて説明する。まず，１はモード切替スイッチであり，１回押すたびにベルモード→ライトモード→ＯＦＦを繰り返す。２は動作切替スイッチで，例えばベルモードでは動作切替スイッチ２を押すたびにベル音の発音間隔が１０秒→３０秒→６０秒に切り替わり，ライトモードでは動作切替スイッチ２を押すたびに連続点灯→点滅に切り替わる。【００１３】  マイコン３には本熊よけベルの動作をコントロールするプログラムが書き込まれており，ベルモードでは動作切替スイッチ２により設定された時間を内蔵タイマーでカウントし，設定された間隔でメモリ４に格納されているベル音データを順次呼び出す動作を繰り返す。メモリ４の出力はＤ／Ａコンバータ５に接続されておりデジタル信号からアナログ信号に変換される。Ｄ／Ａコンバータの出力信号はフィルタ回路６にて高周波ノイズをカットされ増幅回路７に入力される。増幅回路７は音信号をスピーカ８が駆動できるレベルに増幅しスピーカ８からベル音を発生させる。さらにメモリ４に数種類の音色データが格納されており，動作切替スイッチ２を例えば２秒以上押し続けることでマイコン３がメモリ４の読み出しアドレスを変え，異なった音色を発音させることができる。また，ベルモードにおいてマイコン３は高輝度ＬＥＤ９を例えば２秒おきに一瞬発光させることにより，現在ベルモードであることを使用者に知らせる。また２秒おきに発光する回数を例えばベル音の発音間隔が１０秒の場合１回，３０秒の場合は２回などのように変えることで，現在のベル音発音間隔を判別可能にしている。【００１４】  ライトモードでは，マイコン３は高輝度ＬＥＤ９を連続点灯させることで照明用光源として使用する。さらに，動作切替スイッチ２により高輝度ＬＥＤ９を点滅動作させることで，非常時のマーカーとしても使えるように構成されている。【００１５】  実施の形態２．
なお，上記実施の形態１はデジタルサンプリングされたデータを音色として用いたが，メモリとＤ／Ａコンバータを単なる正弦波信号やビープ音信号の発生回路に置き換え，これを音色として用いることも可能である。
実施の形態３．
また，上記実施の形態１は照明用光源として高輝度ＬＥＤを用いているが，フィラメント球を用いることも可能である。【００１６】  ところで，上記説明ではこの発明を熊よけベルに利用する場合について述べたが，事故や遭難時における現在位置通報や防犯ブザーにも応用できることは言うまでもない。
【発明の効果】
【００１７】  以上のようにこの発明によれば，電気的手段によってベル音を作り，スイッチ操作により発音のＯＮ／ＯＦＦおよび発音間隔が設定できるので，装着状態に係わらず確実に発音するだけでなく，単体で自動的に発音するため休憩時等使用者が体を動かさない場合や，夜間就寝時本熊よけベルを単体で置いた場合も確実に熊に人間の存在を知らせることができる。また，人混み等発音が不要な状況ではスイッチ一つで簡単に発音を停止できるので他人の迷惑にならない。さらに，発音が連続ではなく間隔を空けることができるので，使用者にとっても煩わしさがない。
【００１８】  またベル音は実際のベル音をデジタルサンプリング録音された音色データとして半導体メモリに記憶し，それをＤ／Ａ変換してスピーカーを鳴らすので，熊が従来から人間の音として記憶している機械的ベルに近い音色を得ることができ，最大の効果を奏することができる。さらに，複数の音色データを記憶させておくことにより，状況や好みに応じて音色を変えることが可能になる。
【００１９】  また，タイマー動作状況表示灯と兼用した照明用高輝度ＬＥＤを備えたので，熊よけベルとしてだけではなく夜間歩行時やテント内の照明にも使うことができ，別に携帯用ライトを持ち歩く必要がなく，荷物の量を軽減することができる。
【図面の簡単な説明】
【図１】  この発明による熊よけベルの一実施例を示すブロック図である。
【図２】  従来の熊よけベルを示す斜視図である。
【符号の説明】
１  モード切替スイッチ
２  動作切替スイッチ
３  マイコン
４  メモリ
５  Ｄ／Ａコンバータ
６  フィルタ回路
７  増幅回路
８  スピーカ
９  高輝度ＬＥＤ
１０  靴
１１  鈴
【図１】
2005292751.tif 000003
【図２】
2005292751.tif 000004